(57)【要約】【課題】床面や収納ボックスに衝撃を与えることなくベッドを安全に起伏させることができる収納ベッドを提供することである。【解決手段】収納ボックス１の開口部３内に収納可能なベッド２を起伏可能に支持する。そのベッド２に起立方向への回転力を付勢するスプリングと、ベッド２に回転抵抗を付与するロータリダンパ１５とを設けて、ベッド２が起立方向および伏倒方向の両方向に低速度で回動するようにして、床面や収納ボックス１に衝撃を与えるのを防止する。【選択図】  図２
2004290478.tif 000002
【特許請求の範囲】
【請求項１】
開口部を前側に有する収納ボックスと、その収納ボックスの開口部内に納まる起立状態で両側面の下部が回動可能に支持された起伏自在のベッドと、そのベッドを起立方向に付勢するスプリングと、前記ベッドの起伏による回動時にベッドに回転抵抗を付与するダンパとから成る収納ベッド。
【発明の詳細な説明】
【０００１】
【発明の属する技術分野】
この発明は、収納ベッドに関するものである。
【０００２】
【従来の技術およびその問題点】
壁面に沿って固定され、あるいは壁面内に埋込まれる収納ボックスに対してベッドを起伏自在に設けた収納ベッドは従来から知られている。
【０００３】
上記収納ベッドは、不使用時にベッドを起立させることによって、そのベッドを収納ボックスの前側開口部内に収納させることができるため、部屋のスペースを有効に利用することができるという特徴を有している。
【０００４】
上記のような収納ベッドは、ベッド自体が重量物であるため、起伏の操作時に比較的大きな操作力を必要とすると共に、伏倒時には急速に回動するため、きわめて危険である。
【０００５】
また、ベッドが床面で支持される停止時に、床面に大きな衝撃を与えるおそれがある。
【０００６】
そのような不都合を解消するには、スプリングによってベッドに起伏方向への回転力を付与することがきわめて有効であるが、この場合、ベッドを起立方向へ回動させたとき、ベッドに付与されるスプリングの弾性力によりベッドは起立方向に急速に回動して収納ボックスに衝撃を与えるという問題が発生する。
【０００７】
【発明の課題】
この発明の課題は、ベッドの起伏時に床面や収納ボックスに大きな衝撃を与えることがない安全性に優れた収納ボックスを提供することである。
【０００８】
【課題を解決するための手段】
上記の課題を解決するために、この発明においては、開口部を前側に有する収納ボックスと、その収納ボックスの開口部内に納まる起立状態で両側面の下部が回動可能に支持された起伏自在のベッドと、そのベッドを起立方向に付勢するスプリングと、前記ベッドの起伏による回動時にベッドに回転抵抗を付与するダンパとから成る構成を採用したのである。
【０００９】
上記のように構成すれば、ベッドの伏倒時、スプリングが引き伸ばされてベッドに回転抵抗が付与されると共に、ダンパによっても回転抵抗が付与されるため、ベッドは低速度で伏倒方向に回動することになる。このため、ベッドの下敷きになることはなく安全であると共に、床面に衝撃を与えることはない。
【００１０】
また、スプリングはベッドを起立させる方向に付勢しているため、ベッドを比較的小さな操作力によって起立方向に回動させることができると共に、その起立方向への回動時、ダンパによってベッドに回転抵抗が付与されるため、ベッドは起立方向に低速度で回動することになり、収納ボックスに衝撃を与えることはない。
【００１１】
【発明の実施の形態】
以下、この発明の実施の形態を図面に基づいて説明する。図１に示すように、収納ベッドＡは、収納ボックス１と、ベッド２とから成る。
【００１２】
収納ボックス１は前側に開口部３を有し、その開口部３に対してベッド２は収納可能とされている。
【００１３】
図２および図３に示すように、収納ボックス１の両側壁４における内面下部にはスプリングケース５が固定されている。
【００１４】
図４および図５に示すように、ベッド２の両側面には上記スプリングケース５と対応する位置にベッド金具６が固定され、そのベッド金具６とスプリングケース５は回転軸７によって相対的に回転自在に連結されている。
【００１５】
このため、ベッド２は回転軸７を中心として起伏自在とされ、起立時には収納ボックス１の開口部３内に収納されるようになっている。そのベッド２の起立状態において、ベッド２の表面側には、図１および図２に示すように、一対のコの字形の操作枠８が設けられ、上記ベッド２を伏倒させると、その操作枠８が床面で支持されて、ベッド２がほぼ水平の状態に保持されるようになっている。
【００１６】
図５および図６に示すように、スプリングケース５内には２枚のプレート９ａ、９ｂが設けられ、その２枚のプレート９ａ、９ｂ間に複数のスプリング１０がかけ渡されている。２枚のプレート９ａ、９ｂのうち、一方のプレート９ａとベッド金具６とは連結ピン１１によって連結されている。連結ピン１１はスプリングケース５に設けられた窓１２内において自由に移動し得るようになっている。
【００１７】
他方のプレート９ｂはねじ孔１３を有し、そのねじ孔１３にねじ係合した調整ねじ１４がスプリングケース５によって回動自在に支持され、上記調整ねじ１４を回転させることによって複数のスプリング１０の弾性力を調整し得るようになっている。
【００１８】
複数のスプリング１０はベッド２が起立する方向にベッド２を付勢しており、上記ベッド２が伏倒する方向に回動されると引き伸ばされて弾性力が増大するようになっている。
【００１９】
図４に示すように、スプリングケース５の表面には連結ピン１１の後側にダンパとしてのロータリダンパ１５が固定されている。ロータリダンパ１５はロータ軸１６を有し、そのロータ軸１６にはアーム１７の一端部が固定されている。アーム１７の他端部にはリンク１８の一端部がピン１９を介して連結され、リンク１８の他端部はピン２０を介してベッド金具６に連結されている。ベッド金具６に対するリンク１８の連結位置は、ベッド２の起立状態で回転軸７の下方とされている。
【００２０】
このため、回転軸７を中心にしてベッド２を起立位置から伏倒位置までほぼ９０°回動させると、リンク１８およびアーム１７を介してロータ軸１６が図４の時計方向に回転すると共に、ピン２０が回転軸７とピン１９を結ぶ直線を越えると、ロータ軸１６は時計方向に回転するようになっている。
【００２１】
ここで、ロータリダンパ１５は、ロータ軸１６に設けられたロータ（図示省略）をシリコンオイル等の粘性流体が充填された円筒形ケース内で回転させ、そのロータが粘性流体を剪断する際の剪断抵抗をロータ軸１６の回転抵抗として、ロータ軸１６を低速度回転させる従来から周知のものであるため、ここでは、その詳細を図示省略している。
【００２２】
なお、ダンパはロータリダンパ１５に限定されるものではない。例えば、粘性流体が充填されたケース内でディスクを回転させるようにしたディスクダンパであってもよい。
【００２３】
実施の形態で示す収納ベッドは上記の構造から成り、図４乃至図６はベッド２が起立状態とされて収納ボックス１の開口部３内に納められた状態を示す。その状態から操作枠８を引き、ベッド２を伏倒方向に回動させると、ベッド金具６とプレート９ａを連結する連結ピン１１が回転軸７を中心にして回動し、スプリング１０が引き伸ばされてベッド２に回転抵抗が付与される。
【００２４】
また、回転軸７を中心にベッド２が回動すると、リンク１８およびアーム１７を介してロータ軸１６が回転されるため、ベッド２にはロータリダンパ１５によって回転抵抗が付与される。
【００２５】
このように、ベッド２の伏倒方向への回動時には、スプリング１０とロータリダンパ１５によってベッド２に回転抵抗が付与されるため、ベッド２は低速度で伏倒位置に向けて回動することになる。
【００２６】
このため、ベッド２の下敷きになるおそれがなく、ベッド２を安全に伏倒させることができると共に、床面に衝撃を与えることもない。
【００２７】
ベッド２の伏倒状態では、スプリング１０は最も伸長した状態にあり、そのスプリング１０がベッド２を起立させる方向の回転力はベッド２が自重によって伏倒する方向の回転力より小さいため、ベッド２は伏倒状態に保持される。
【００２８】
伏倒状態のベッド２を引き上げると、ベッド２は起立する方向に回動する。このとき、ベッド２にはスプリング１０によって起立方向への回転力が付与されているため、比較的小さな操作力によってベッド２を起立させることができる。また、ベッド２の回動によりロータリダンパ１５のロータ軸１６が回動され、そのロータリダンパ１５によってベッド２に回転抵抗が付与されるため、ベッド２は低速度で起立する方向に回動して開口部３内に収納され、収納ボックス１に衝撃を与えることはない。
【００２９】
ベッド２が開口部３内に収納された状態において、スプリング１０はベッド２を起立方向に付勢しているため、ベッド２は起立状態に保持されて伏倒方向に回動することはない。このため、ベッド２を起立状態に保持するロック金具が取付けられている収納ベッドにおいて、そのロック金具のかけ忘れが生じてもベッド２は起立状態に保持されて倒れるおそれはなく、きわめて安全である。
【００３０】
【発明の効果】
以上のように、この発明においては、スプリングによってベッドに起立方向への回転力を付与すると共に、そのベッドの回動時にダンパによって回転抵抗を付与したので、ベッドを安全に伏倒させることができると共に、床面や収納ボックスに衝撃を与えるのを防止することができる。
【図面の簡単な説明】
【図１】この発明に係る収納ベッドの実施の形態を示す斜視図
【図２】ベッドの収納状態を示す縦断側面図
【図３】図２の横断平面図
【図４】スプリングケースの取付け部を示す一部切欠側面図
【図５】図４のＶ−Ｖ線に沿った断面図
【図６】図５のＶＩ−ＶＩ線に沿った断面図
【図７】ベッドを伏倒させた状態でのスプリングケース取付け部の側面図
【符号の説明】
１  収納ボックス
２  ベッド
３  開口部
１０  スプリング
１５  ロータリダンパ
【図１】
2004290478.tif 000003
【図２】
2004290478.tif 000004
【図３】
2004290478.tif 000005
【図４】
2004290478.tif 000006
【図５】
2004290478.tif 000007
【図６】
2004290478.tif 000008
【図７】
2004290478.tif 000009